(57)【特許請求の範囲】
【請求項１】
搬送方向に連続した磁気ストライプ部を有し、該方向に対して垂直に設けたミシン目部で切り離し可能であり、磁気ストライプ部と重なるミシン目部の全域に切断部を設けた磁気ストライプ付き連続券紙において、前記切断部に隣接したカット部のピッチを、他のカット部のピッチと比較し短くしたことを特徴とする磁気ストライプ付き連続券紙。
【請求項２】
前記連続券紙において、カット部のピッチを一定にし、前記切断部に隣接したアンカット部のピッチを他のアンカット部のピッチと比較して長くしたことを特徴とする磁気ストライプ付き連続券紙。
【発明の詳細な説明】
【０００１】
【発明の属する技術分野】
本発明は、主として旅行業システムの発券機（クーポンプリンタ）に使用する場合に適切な磁気ストライプ付き連続券紙に関する。
【０００２】
【従来の技術】
従来より知られている、搬送方向に連続した磁気ストライプを有し、ミシン目に従い、切り離し可能である磁気ストライプ付き連続券紙については、該磁気ストライプにミシン目が刻設されると、単券として切り離したときに磁気ストライプ端部のミシン目跡が、毛羽立ちなどに起因する微小な凹凸（バリ）、あるいは紙粉の混在によって、磁気記録情報を磁気ヘッドで書き込みおよび読み取りの際、書き込みエラー、読み取りエラーのトラブルを招くおそれがあった。
そのため、前記磁気ストライプ全域を予め切断（全カット）しておくことによって、前記トラブルを未然に防止していた。
【０００３】
【発明が解決しようとする課題】
しかしながら、前記切断による波及的な欠陥として、例えば、前記全カットの幅員を２１．０ｍｍとし、前記ミシン目のカット部分とアンカット部分の割合を３．０ｍｍ、１．０ｍｍとして加工すると、その券紙の流れ方向、左右の搬送中のバランスの大きな相違により、ミシン目全体の強度が低下し、また連続券紙について異常なたわみ、波打ちの現象が起りがちであり、その結果、発券機において印字やエンコード（記号化）する際に、予想しないミシン部分での切り離しが搬送中に発生し、発券機能を失い、電算処理に重大な影響を与えていた。
そのため、前記切断（全カット）を実施した連続券紙のミシン目の強さの調整は、用途、紙質、発券機の性能などによって左右されて異なるために、慎重な配慮を必要とし、トラブルの発生について予断を許さないものがあり、需要者層から実施容易な解決策が強く望まれていた。
【０００４】
ところが、前記問題点解決のための提案は具体的にはいまだに無く未解決であり、単にミシン目の強度を高めるためのピッチに関する技術としては、例えば実開昭５９−１９３７０号公報（連続帳表）、実開昭６０−１２７６２４号公報（折りたたみ型磁気記録媒体）が認められるにすぎない。
【０００５】
【課題を解決するための手段】
本発明は、予め前記磁気ストライプ部全域を切断した切断部に隣接したカット部のピッチのみに、従来みられない技術的配慮を施すことによって、前記切断部を有しながらも適度な強度が得られ、これまで問題視していた発券時の前記問題点の発生がなくなり、円滑な発券をもたらし電算処理業務の向上に寄与するものである。
【０００６】
本発明の磁気ストライプ付き連続券紙の構成について具体的にのべると、搬送方向に連続した磁気ストライプ部を有し、該方向に対して垂直に設けたミシン目部で切り離し可能であり、磁気ストライプ部と重なるミシン目部の全域に切断部を設けた磁気ストライプ付き連続券紙において、前記切断部に隣接したカット部のピッチを、他のカット部のピッチと比較し短くしたものである。
【０００７】
また、前記連続券紙において、カット部のピッチを一定にし、前記切断部に隣接したアンカット部のピッチを他のアンカット部のピッチと比較して長くすることもよい。
【０００８】
【発明の実施の形態】
以下に、本発明の最良の結果をもたらす磁気ストライプ付き連続券紙の形態を図面に従い説明する。
図１は磁気ストライプ付き連続券紙の要部説明図、図２は図１の反対面より視た要部説明図、図３は図１の要部拡大説明図、図４は使用状態説明図である。
Ｆは一片折りされる連続券紙であり、切り離し後はクーポン券のごとき単券Ｃとして使用される。１は基紙であり、既知の感熱転写リボンでの印字適性を具備したマットコート紙のごとき腰のある厚手用紙が使用される。２は既知の磁気ストライプ部であり、搬送方向に連続している。３は磁気ストライプ部２全域に、ミシン目部４の長さ方向と合致させて、予め切断（いわゆる全カット）を施した切断部である。４は、切断部３に隣接してなるカット部４ａおよび該カット部４ａと並ぶ一連の等しい長さのカット部４ｂからなるミシン目部である。カット部４ａのピッチＰ１はカット部４ｂのピッチＰ２より短く形成してある。
【０００９】
なお、本発明における連続券紙Ｆの使用上の形態は、折り片数を一片折りとし、１セット毎に折り加工し、多数枚セット、例えば、５００セット連続形式としたものを１束として利用に供される（図４）。
また本発明は旅行券、航空券、駐車場券など各種の磁気ストライプ付き連続券紙としても応用される。
なお、単券Ｃの大きさを例示すれば、短辺約８２ｍｍ、長辺約１４０ｍｍである。
【００１０】
磁気ストライプ部２は、公知技術に従って設けられ、基紙１裏面において繊維の流れ方向と平行に設定され、磁気ストライプ本来の物理的特性、特に磁気情報の書き込み、読み出しに支障をきたすような紙粉、波打ちなどのない高度の加工品質を保持することが必要である。
切断部３は、その切断面全体にわたりバリのない滑らかな状態に仕上げられることが肝要である。
【００１１】
本発明の主要な特徴であるミシン目部４について、切断部３に隣接したカット部４ａのピッチＰ１がカット部４ｂのピッチＰ２より短く形成されたことにより、切断部３が存在しても常に適度なミシン目の強度が得られるのである。
なお、ここでいう適度なミシン目の強度とは、搬送中に切断することなく、かつ発券機での切断が容易に行える程度の力の大きさを意味している。
本発明の実施上、前記したピッチの長短の好ましい割合は、基紙１、磁気ストライプ部２の寸法、形状、それらに設定される物理的特性によって左右されるので一概には特定されないが、平均的には、ピッチＰ１はピッチＰ２の１／２とすることが最適である。
【００１２】
【実施例】
他の実施例として、図示を省略したが、前記連続券紙Ｆにおいて、カット部のピッチを一定にし、前記切断部３に隣接したアンカット部のピッチを他のアンカット部のピッチと比較して長くしたことを特徴とする磁気ストライプ付き連続券紙とすることによって、前述した本発明の実施の形態と実質的に同様の効果をもたらすものである。
【００１３】
【発明の効果】
以上のとおりの構成を有する請求項１および同２の本発明によれば、ともに共通して以下の効果をもたらすものである。すなわち、
本来、一様な割合としたピッチのミシン目部を有する連続券紙については、搬送方向、すなわちミシン目部に対して垂直に力を加えた場合、個々のアンカット部にかかる力は均一であるから、一定（値）以上の力を加えるとすべてのアンカット部がほぼ同時に破断されることとなる。
しかし、前述した欠点の解決のために、カット部のピッチと比較し極めて長い切断部を端部に設けてある従来の連続券紙については、同様の力を加えた場合、アンカット部にかかる力は不均一で、それは切断部に近づくにつれその力は増大する。その結果、切断部側から意図しない不都合な破断を生じてしまい、新たな問題が発生することとなる。
【００１４】
そこで、本発明は、第１に、ミシン目部自体について、アンカット部のピッチを一定とした場合、カット部のピッチが短い程カット部の強度が増すことになり、逆にカット部のピッチを一定とし、アンカット部のピッチを変化させた場合、そのピッチが長くなると強度が増すことに注目して、切断部３に隣接したカット部４ａを短く、あるいはアンカット部を他の部分より長くし、ミシン目部４全体に加わる力の分布とミシン目部４強度の分布を一致させることで、局部的に発生するミシン目部４強度の低下を防ぐことができることになるものである。
【００１５】
第２に、連続券紙Ｆに切断部３を有していても、適度なミシン目部４の強度が得られ、切断部３の効用に加えて発券に際し搬送中の予想しないミシン目部４での切り離しを未然に防止でき、円滑な発券を可能としそれが約束されるものである。
第３に、本発明におけるカット部４ａ，４ｂのピッチＰ１，Ｐ２に適合したミシン刃のタイとカットの長短を調整して設定する作業以外に、特別の設備、工程の追加を要しないので経済的である。
【図面の簡単な説明】
【図１】磁気ストライプ付き連続券紙の要部説明図
【図２】図１の反対面より視た要部説明図
【図３】図１の要部拡大説明図
【図４】使用状態説明図
【符号の説明】
Ｆ    連続券紙
Ｃ    単券
Ｐ１，Ｐ２    ピッチ
１    基紙
２    磁気ストライプ部
３    切断部
４    ミシン目部
４ａ，４ｂ    カット部
【図１】
0003863257.tif 000002
【図２】
0003863257.tif 000003
【図３】
0003863257.tif 000004
【図４】
0003863257.tif 000005